(57)【要約】【課題】シーリング材を使用せずに乾式で施工でき、かつ、様々な板厚の面材に対応できる笠木の取付構造を提供する。【解決手段】面材１３の上端部を呑み込む保持溝２１を備えた笠木ベース部材２０と、前記保持溝２１の幅を狭める方向に摺動可能な押さえ部材３０と、前記笠木ベース部材２０の上面側から操作されて上下動する上下動部材４０と、前記上下動部材４０を上から覆うように前記笠木ベース部材２０に嵌合固定される笠木カバー部材５０と、を備え、前記上下動部材４０は、下端部が前記押さえ部材３０の後部に臨むように配置され、前記押さえ部材３０は、前記上下動部材４０の下端部に臨む後部に傾斜面３１を有し、前記上下動部材４０が操作されて下動したときに、前記傾斜面３１によって下向きの力が水平方向の力に変換され、前記押さえ部材３０が前記保持溝２１の幅を狭める方向に移動する。【選択図】図４
2014058838.tif 000002
【特許請求の範囲】
【請求項１】
面材に笠木を取り付ける笠木の取付構造であって、
面材の上端部を呑み込む保持溝を備えた笠木ベース部材と、
前記笠木ベース部材に対して摺動可能に配置され、前記保持溝の幅を狭める方向に摺動可能な押さえ部材と、
前記笠木ベース部材の上面側から操作されて上下動する上下動部材と、
前記上下動部材を上から覆うように前記笠木ベース部材に嵌合固定される笠木カバー部材と、
を備え、
前記上下動部材は、下端部が前記押さえ部材の後部に臨むように配置され、
前記押さえ部材は、前記上下動部材の下端部に臨む後部に傾斜面を有し、
前記上下動部材が操作されて下動したときに、前記傾斜面によって下向きの力が水平方向の力に変換され、前記押さえ部材が前記保持溝の幅を狭める方向に移動することを特徴とする、笠木の取付構造。
【請求項２】
前記笠木ベース部材には、前記押さえ部材を収容するための収容部が形成されており、この収容部の内壁は、前記押さえ部材の傾斜面の一部に沿うように傾斜していることを特徴とする、請求項１記載の笠木の取付構造。
【発明の詳細な説明】
【技術分野】
【０００１】
この発明は、面材に笠木を取り付けた笠木の取付構造に関する。
【背景技術】
【０００２】
従来、ベランダ等の手すりに笠木を取り付ける方法としては、柱に笠木受けを固定するとともに、この笠木受けに笠木を嵌合等により固定する方法が一般的である。例えば特許文献１には、柱に笠木受けを固定した上でガラス板を落とし込み、笠木受けとガラス板との間にシーリング材を打ち込んで笠木受けとガラス板とを固定し、その後、笠木受けに笠木を取り付ける技術が開示されている。
【０００３】
なお、ガラス等の面材を装着した手すりにおいては、上記した特許文献１記載の技術のように柱に笠木受けを固定する構造を採用せずに、面材と笠木（または笠木受け）とを直接固定する方法も存在する。例えば、上記した特許文献１記載の技術を応用するような態様で、面材の上に笠木（または笠木受け）を配置した後に、面材と笠木（または笠木受け）との隙間にシーリング材を打ち込んで固定する方法が知られている。
【先行技術文献】
【特許文献】
【０００４】
【特許文献１】特開２００６−３７５８９号公報
【発明の概要】
【発明が解決しようとする課題】
【０００５】
しかし、上記した従来の方法では、シーリング材を使用する工法であるため、施工者の技量によって出来上がりに差が生じがちであり、例えばシーリング材によって面材が汚れて見栄えが悪くなるといった不都合が生じる場合があった。
【０００６】
また、面材の板厚が異なる場合には、異なる笠木及び笠木受けを使用しなければならず、部品点数が増えるという問題があった。
【０００７】
そこで、本発明は、シーリング材を使用せずに乾式で施工でき、かつ、様々な板厚の面材に対応できる笠木の取付構造を提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載の笠木の取付構造は、面材に笠木を取り付ける笠木の取付構造であって、面材の上端部を呑み込む保持溝を備えた笠木ベース部材と、前記笠木ベース部材に対して摺動可能に配置され、前記保持溝の幅を狭める方向に摺動可能な押さえ部材と、前記笠木ベース部材の上面側から操作されて上下動する上下動部材と、前記上下動部材を上から覆うように前記笠木ベース部材に嵌合固定される笠木カバー部材と、を備え、前記上下動部材は、下端部が前記押さえ部材の後部に臨むように配置され、前記押さえ部材は、前記上下動部材の下端部に臨む後部に傾斜面を有し、前記上下動部材が操作されて下動したときに、前記傾斜面によって下向きの力が水平方向の力に変換され、前記押さえ部材が前記保持溝の幅を狭める方向に移動することを特徴とする。
【００１１】
（請求項２）
請求項２に記載の発明は、上記した請求項１記載の発明の特徴点に加え、以下の点を特徴とする。
【００１２】
すなわち、前記笠木ベース部材には、前記押さえ部材を収容するための収容部が形成されており、この収容部の内壁は、前記押さえ部材の傾斜面の一部に沿うように傾斜していることを特徴とする。
【発明の効果】
【００１３】
請求項１に記載の発明は上記の通りであり、上下動部材が操作されて下動したときに、傾斜面によって下向きの力が水平方向の力に変換され、押さえ部材が保持溝の幅を狭める方向に移動するので、押さえ部材によって面材をしっかりと保持することができ、シーリング材を使用しなくても強度上の問題が発生しない。また、押さえ部材の摺動範囲を調整することで様々な板厚の面材に対応することができる。
【００１４】
しかも、上下動部材を笠木ベース部材の上面側から操作できるので施工性がよい。そして、施工後には上下動部材を上から覆うように笠木カバー部材が嵌合固定されるので、上下動部材が露出せず、意匠性もよい。
【００１５】
また、請求項２に記載の発明は上記の通りであり、前記笠木ベース部材には、前記押さえ部材を収容するための収容部が形成されており、この収容部の内壁は、前記押さえ部材の傾斜面の一部に沿うように傾斜している。このような構造を採用することで、押さえ部材が収容部内でがたつきにくく、押さえ部材の後部に上下動部材の下端部が確実に臨むようにすることができる。すなわち、押さえ部材の姿勢を安定させることで、上下動部材と押さえ部材との位置関係を意図した状態に保つことができる。
【００１６】
また、笠木ベース部材に押さえ部材を挿入する際には、傾斜面を一致させて挿入すればよいので方向が分かりやすく、現場での施工を容易とすることができる。
【図面の簡単な説明】
【００１７】
【図１】手すりの（ａ）側面図、（ｂ）正面図である。
【図２】手すりの断面図である。
【図３】笠木部分の一部拡大断面図である。
【図４】笠木の取付方法を示す図である。
【図５】笠木部分の一部拡大断面図であって、異なる板厚の面材に笠木を取り付けた図である。
【発明を実施するための形態】
【００１８】
本発明の実施形態について、図１に示すような手すり１０を例に説明する。
【００１９】
本実施形態に係る手すり１０は、図１に示すように、設置面に立設する支柱１１と、強化ガラスからなる面材１３と、面材１３の側部を保持する面材保持枠１２と、面材１３の下部を支持する下部保持金具１９と、を備えている。
【００２０】
支柱１１には、図２に示すように、平面視において短辺を形成する側面にボルト保持溝１１ａが形成されている。このボルト保持溝１１ａは、支柱１１の全長に渡って上下に連通して形成されており、上下端の開口から保持枠固定ボルト１４の頭部を挿入してスライドさせることができるようになっている。このボルト保持溝１１ａに頭部を嵌合させた保持枠固定ボルト１４は、軸部がボルト保持溝１１ａの側方に突出した状態となる。
【００２１】
面材保持枠１２は、支柱１１に固定されて面材１３の側部を保持するものであり、図１に示すように、支柱１１の長手方向に沿って固定されている。この面材保持枠１２には、上述した保持枠固定ボルト１４の軸部を貫通させるためのボルト貫通孔１２ｂが形成されている。このボルト貫通孔１２ｂを貫通した保持枠固定ボルト１４の先端側に保持枠固定ナット１５を螺着することで、面材保持枠１２と支柱１１とが互いに固定されるようになっている。
【００２２】
また、この面材保持枠１２には、図２に示すように、ボルト貫通孔１２ｂの両側または片側に面材保持部１２ａが設けられている。この面材保持部１２ａは、面材１３の側部を呑み込み可能に形成されており、面材１３の両面に臨む縁部には先付けビード１７及び後付けビード１８が取り付けられ、この先付けビード１７及び後付けビード１８で面材１３を狭持するようになっている。
【００２３】
なお、面材保持枠１２にはボルトカバー１６が着脱可能となっている。このボルトカバー１６は、保持枠固定ボルト１４に保持枠固定ナット１５を螺着したのちに面材保持枠１２に装着される。このボルトカバー１６を面材保持枠１２に装着することで、保持枠固定ボルト１４及び保持枠固定ナット１５が露出しないように形成されている。
【００２４】
また、面材保持枠１２の下部には、面材保持枠１２と面材１３とを下方から支持する下部保持金具１９が設けられている。この下部保持金具１９は、支柱１１に対して上下位置を調節可能に取り付けられる。
【００２５】
なお、本実施形態に係る支柱１１及び面材保持枠１２は、図１に示すように、面材１３の中程までの高さとなっている。この支柱１１及び面材保持枠１２の高さは、面材１３の板厚などにより決定される強度に応じて変更可能である。すなわち、面材１３の強度が低い場合は支柱１１及び面材保持枠１２の高さを高く、面材１３の強度が高い場合は支柱１１及び面材保持枠１２の高さを低くすることで、必要十分な手すり１０の強度を確保しつつも、過剰な柱構造を廃止することができる。
【００２６】
また、下部保持金具１９を支柱１１に対して上下させることで、躯体上面に凹凸があった場合でも、この凹凸を避けて手すり１０を設置することができる。
【００２７】
上記した面材１３の上端には、図１に示すように、連続する複数の面材１３を繋ぐように笠木が通しで取り付けられている。なお、本実施形態においては、支柱１１及び面材保持枠１２が面材１３の下部のみを支持しているため、面材１３の上部に小さなゆがみが生じる場合も考えられる。しかしながら、上記したように笠木が通しで設けられることで、面材１３にゆがみが生じた場合でも、このゆがみが笠木によって矯正されるように形成されている。
【００２８】
笠木は、図３に示すように、笠木ベース部材２０と、笠木ベース部材２０に対して摺動可能に配置される押さえ部材３０と、押さえ部材３０を押動するためのシャフト４０と、シャフト４０の進退を可能とするプレート４１と、上から覆うように笠木ベース部材２０に嵌合固定される笠木カバー部材５０と、を備えている。
【００２９】
笠木ベース部材２０は、図３に示すように、面材１３の上端部を呑み込む保持溝２１を備えている。この保持溝２１は、笠木ベース部材２０の下面中央に下方に向けて開口しており、この保持溝２１の側部に押さえ部材３０を収容するための収容部２２が形成されている。この収容部２２は、押さえ部材３０の後端に臨む内壁の一部が傾斜して傾斜壁２３を形成しており、この傾斜壁２３は後述する押さえ部材３０の傾斜面３１の一部に沿うように形成されている。また、この収容部２２の下部には、押さえ部材３０の摺動範囲を規定するとともに、押さえ部材３０の抜け止めの役割も果たす下溝部２４が形成されている。
【００３０】
収容部２２の上部には、シャフト４０を貫通させる貫通孔２５が形成されており、この貫通孔２５の更に上部にはプレート４１を格納するためのプレート保持溝２６が形成されている。
【００３１】
笠木ベース部材２０の両側は、笠木カバー部材５０の内面に沿うように立ち上がりが形成されており、この立ち上がりの上端付近には上係合部２７が設けられ、立ち上がりの下端付近には下係合部２８が設けられている。上係合部２７は、外方に突出して設けられており、内方に弾性変位することで後述する笠木カバー部材５０の上係合片５３と係合可能となっている。また、下係合部２８は、外方に筋状に突出して設けられており、後述する笠木カバー部材５０の下係合片５４と係合可能となっている。
【００３２】
押さえ部材３０は、上記した収容部２２内において保持溝２１の幅を狭める方向に摺動可能に配置されており、図３に示すように、面材１３に臨む前部に垂直な当接部３３が形成されるとともに、後部には下方に裾広がりに傾斜した傾斜面３１が形成されている。この押さえ部材３０は、傾斜面３１が笠木ベース部材２０の貫通孔２５の真下にくるように、笠木ベース部材２０の収容部２２に配置される。このため、貫通孔２５を貫通するシャフト４０の下端部４０ａが、押さえ部材３０の傾斜面３１に臨むようになっている。
【００３３】
押さえ部材３０の下部には、長手方向に筋状の脚部３２が突出形成されており、この脚部３２が笠木ベース部材２０の下溝部２４に入り込んでいる。この脚部３２が設けられることで、押さえ部材３０と収容部２２との接触面積が小さくなっており、すなわち、摩擦抵抗が小さくなっていることで、押さえ部材３０がスムーズに摺動できるように形成されている。
【００３４】
なお、押さえ部材３０の当接部３３にはゴムパッキンなどの緩衝部材３４が設けられており、押さえ部材３０が保持溝２１の幅を狭める方向に摺動すると、この緩衝部材３４が保持溝２１に挿入された面材１３に当接し、面材１３を反対面方向に押圧できるように形成されている。
【００３５】
シャフト４０は、笠木ベース部材２０の上面側から操作されて上下動する上下動部材であり、外周にネジを切った棒状部材である。このシャフト４０は、笠木ベース部材２０の貫通孔２５を貫通して取り付けられることで、下端部４０ａが押さえ部材３０後部の傾斜面３１に臨むように配置されている。
【００３６】
プレート４１は、笠木ベース部材２０のプレート保持溝２６に挿入される板状部材であり、プレート保持溝２６内で回転しないように保持されている。このプレート４１には、シャフト４０外周のネジと螺合するネジ孔が切ってあり、笠木ベース部材２０の貫通孔２５を貫通するシャフト４０がこのネジ孔を貫通するように形成されている。シャフト４０はプレート４１に対してネジ進退可能に取り付けられており、すなわち、シャフト４０を回転させることでシャフト４０を進退させて収容部２２内への突出度合を調整することができるようになっている。
【００３７】
笠木カバー部材５０は、笠木ベース部材２０の周囲を覆うように嵌合固定される部材であり、図３に示すように、笠木ベース部材２０の上部を覆う天面部５１と、この天面部５１の両側端部から垂下して設けられる側壁部５２と、を備えている。側壁部５２の内側には、上係合片５３と、下係合片５４と、位置決め片５５と、がそれぞれ水平方向に筋状に形成されている。上係合片５３は、上記した笠木ベース部材２０の上係合部２７と係合するものである。また、下係合片５４は、上記した笠木ベース部材２０の下係合部２８と係合するものである。なお、この下係合片５４は外方に弾性変位することで笠木ベース部材２０の下係合部２８と係合可能となっている。また、位置決め片５５は、笠木ベース部材２０の上端部が突き当てられる部位であり、この位置決め片５５に笠木ベース部材２０の上端部が突き当てられることで笠木カバー部材５０と笠木ベース部材２０との位置決めができるように形成されている。
【００３８】
上記した笠木を面材１３に取り付ける際には、図４（ａ）に示すように、面材１３の上端部を保持溝２１に呑み込ませるように笠木ベース部材２０を載置する。そして、シャフト４０を回転操作して下動させる。シャフト４０が下動すると、押さえ部材３０の傾斜面３１によって下向きの力が水平方向の力に変換され、押さえ部材３０が保持溝２１の幅を狭める方向に移動する。これにより、押さえ部材３０の当接部３３によって面材１３を保持溝２１の反対面側に圧接させる。
【００３９】
シャフト４０を下動させることで押さえ部材３０によって十分な保持力が得られたら、図４（ｂ）に示すように、シャフト４０の位置を固定するために、シャフト４０の軸部の上からナット４２を締め付ける。そして、笠木ベース部材２０の上から笠木カバー部材５０を取り付ける。具体的には、笠木カバー部材５０の位置決め片５５に笠木ベース部材２０の上端部が突き当てられるまで笠木カバー部材５０を下方向に押圧することで、上係合片５３と上係合部２７とを弾発係合させるとともに、下係合片５４と下係合部２８とを弾発係合させ、笠木カバー部材５０を笠木ベース部材２０に装着する。このように笠木カバー部材５０を笠木ベース部材２０に装着すると、シャフト４０を含めた面材１３の保持機構が笠木カバー部材５０によって覆われて外部から視認できない状態となる。
【００４０】
なお、面材１３の板厚が異なる場合には、図５に示すように、シャフト４０を下動させる位置を調整することで押さえ部材３０の摺動を調節し、適切な保持力で面材１３を保持するようにすればよい。
【００４１】
以上説明したように、本実施形態によれば、シャフト４０が操作されて下動したときに、傾斜面３１によって下向きの力が水平方向の力に変換され、押さえ部材３０が保持溝２１の幅を狭める方向に移動するので、押さえ部材３０によって面材１３をしっかりと保持することができ、シーリング材を使用しなくても強度上の問題が発生しない。また、押さえ部材３０の摺動範囲を調整することで様々な板厚の面材１３に対応することができる。
【００４２】
しかも、シャフト４０を笠木ベース部材２０の上面側から操作できるので施工性がよい。そして、施工後にはシャフト４０を上から覆うように笠木カバー部材５０が嵌合固定されるので、シャフト４０が露出せず、意匠性もよい。
【００４３】
また、笠木ベース部材２０には、押さえ部材３０を収容するための収容部２２が形成されており、この収容部２２の内壁は、押さえ部材３０の傾斜面３１の一部に沿うように傾斜している。このような構造を採用することで、押さえ部材３０が収容部２２内でがたつきにくく、押さえ部材３０後部の傾斜面３１にシャフト４０の下端部４０ａが確実に臨むようにすることができる。すなわち、押さえ部材３０の姿勢を安定させることで、シャフト４０と押さえ部材３０との位置関係を意図した状態に保つことができる。
【００４４】
また、笠木ベース部材２０に押さえ部材３０を挿入する際には、傾斜面３１を一致させて挿入すればよいので方向が分かりやすく、現場での施工を容易とすることができる。
【００４５】
なお、本実施形態においては、上下動部材として外周にネジを切ったシャフト４０を使用したが、本発明の実施形態としてはこれに限らない。例えば、本実施形態におけるシャフト４０に代えて、楔状に打ち込まれて押さえ部材３０を移動させるような部材を使用してもよい。
【符号の説明】
【００４６】
１０  手すり
１１  支柱
１１ａ  ボルト保持溝
１２  面材保持枠
１２ａ  面材保持部
１２ｂ  ボルト貫通孔
１３  面材
１４  保持枠固定ボルト
１５  保持枠固定ナット
１６  ボルトカバー
１７  先付けビード
１８  後付けビード
１９  下部保持金具
２０  笠木ベース部材
２１  保持溝
２２  収容部
２３  傾斜壁
２４  下溝部
２５  貫通孔
２６  プレート保持溝
２７  上係合部
２８  下係合部
３０  押さえ部材
３１  傾斜面
３２  脚部
３３  当接部
３４  緩衝部材
４０  シャフト（上下動部材）
４０ａ  下端部
４１  プレート
４２  ナット
５０  笠木カバー部材
５１  天面部
５２  側壁部
５３  上係合片
５４  下係合片
５５  位置決め片
【図１】
2014058838.tif 000003
【図２】
2014058838.tif 000004
【図３】
2014058838.tif 000005
【図４】
2014058838.tif 000006
【図５】
2014058838.tif 000007